【手続補正書】
【提出日】平成17年11月16日(2005.11.16)
【手続補正１】
【補正対象書類名】明細書
【補正対象項目名】発明の名称
【補正方法】変更
【補正の内容】
【発明の名称】ディジタル信号記録システム、ディジタル信号記録方法、プログラム記録媒体及びディジタル信号記録装置
【手続補正２】
【補正対象書類名】明細書
【補正対象項目名】特許請求の範囲
【補正方法】変更
【補正の内容】
【特許請求の範囲】
【請求項１】
ディジタル信号を記録する記録媒体と、
第１のユニークＩＤを記憶する第１の記憶手段を有する第１のアダプタ装置と、
ディジタル信号及び第２のユニークＩＤを記憶する第２の記憶手段と、
上記第２の記憶手段に記憶された第２のユニークＩＤと上記第１の記憶手段に記憶された第１のユニークＩＤとが一致することを認証する第１の認証手段と、
上記第１の認証手段によって第１のユニークＩＤと第２のユニークＩＤとが一致すると認証されたとき、上記第２の記憶手段に記憶されたディジタル信号を上記第１の装置に送信し、上記第１の認証手段が認証できなかったとき、第２の記憶手段に記憶されたディジタル信号の上記第１の装置への送信を中止する第１の送信手段とを有する第２の装置と
を有することを特徴とするディジタル信号記録システム。
【請求項２】
上記第１の装置は、上記第１の送信手段から送信されるディジタル信号に上記著作権フラグを付加するフラグ付加手段を具備し、
上記記録媒体は、上記フラグ付加手段で著作権フラグが付加されたディジタル信号を記録する
ことを特徴とする請求項１記載のディジタル信号記録システム。
【請求項３】
上記記録媒体は、フラッシュメモリからなり、上記フラグ付加手段で著作権フラグが付加されたディジタル信号のうち、著作権フラグを上記フラッシュメモリの冗長エリアに記録し、その他のディジタル信号を上記フラッシュメモリの通常エリアに記録することを特徴とする請求項２記載のディジタル信号記録システム。
【請求項４】
上記第１の装置は、上記記録媒体に記録されたディジタル信号に著作権フラグがあるかを検出するフラグ検出手段と、上記第２の記憶手段に記憶された第２のユニークＩＤと上記第１の記憶手段に記憶された第１のユニークＩＤとが一致することを認証する第２の認証手段と、上記フラグ検出手段によって著作権フラグが検出されかつ上記第２の認証手段によって上記第１のユニークＩＤと上記第２のユニークＩＤとが一致すると認証されたとき、上記記録媒体に記録されたディジタル信号を上記第２の装置に送信し、上記フラグ検出手段によって著作権フラグが検出されないとき又は上記第２の認証手段が認証できなかったとき、上記記録媒体に記録されたディジタル信号の上記第２の装置への送信を中止する第２の送信手段とを有し、
上記第１の装置の記憶手段は、上記第２の送信手段から送信されるディジタル信号を記憶する
ことを特徴とする請求項２記載のディジタル信号記録システム。
【請求項５】
第１の装置に記憶されているディジタル信号を第２の装置に接続された記録媒体に記録するディジタル信号記録方法において、
上記第１の装置のユニークＩＤと上記第２の装置のユニークＩＤとが一致することを認証し、
ユニークＩＤの一致が認証できなかったとき、上記第１の装置に記憶されているディジタル信号の送信を中止し、
ユニークＩＤの一致が認証できたとき、上記第１の装置に記憶されているディジタル信号を上記第２の装置に送信し、
上記送信されたディジタル信号を上記第２の装置に接続された上記記録媒体に記録する
ことを特徴とするディジタル信号記録方法。
【請求項６】
上記ユニークＩＤの一致が認証できたとき、第１の送信手段から送信されたディジタル信号に上記著作権フラグを付加して上記記録媒体に記録することを特徴とする請求項４記載のディジタル信号記録方法。
【請求項７】
上記記録媒体に記録されたディジタル信号に著作権フラグがあるかを検出し、
上記第２の装置のユニークＩＤと上記第１の装置のユニークＩＤとが一致することを認証し、
著作権フラグが検出されかつユニークＩＤの一致を認証したとき、上記記録媒体に記録されたディジタル信号を上記第１の装置に送信し、
著作権フラグが検出されないとき又はユニークＩＤの一致が認証できなかったとき、上記記録媒体に記録されたディジタル信号の上記第１の装置への送信を中止し、
上記送信されたディジタル信号を上記第１の装置に記憶する
ことを特徴とする請求項６記載のディジタル信号記録方法。
【請求項８】
第１の装置に記憶されているディジタル信号を第２の装置に接続された記録媒体に記録する制御プログラムが記録されたプログラム記録媒体において、
上記第１の装置のユニークＩＤと上記第２の装置のユニークＩＤとが一致することを認証し、
ユニークＩＤの一致が認証できなかったとき、上記第１の装置に記憶されているディジタル信号の送信を中止し、
ユニークＩＤの一致が認証できたとき、上記第１の装置に記憶されているディジタル信号を上記第２の装置に送信し、
上記送信されたディジタル信号を上記第２の装置に接続された上記記録媒体に記録する制御プログラムが記録された
ことを特徴とするプログラム記録媒体。
【請求項９】
上記ユニークＩＤの一致が認証できたとき、第１の送信手段から送信されたディジタル信号に上記著作権フラグを付加して上記記録媒体に記録する制御プログラムが記録されたことを特徴とする請求項８記載のプログラム記録媒体。
【請求項１０】
上記記録媒体に記録されたディジタル信号に著作権フラグがあるかを検出し、
上記第２の装置のユニークＩＤと上記第１の装置のユニークＩＤとが一致することを認証し、
著作権フラグが検出されかつユニークＩＤの一致を認証したとき、上記記録媒体に記録されたディジタル信号を上記第１の装置に送信し、
著作権フラグが検出されないとき又はユニークＩＤの一致が認証できなかったとき、上記記録媒体に記録されたディジタル信号の上記第１の装置への送信を中止し、
上記送信されたディジタル信号を上記第１の装置に記憶する制御プログラムが記録されたことを特徴とする請求項９記載のプログラム記録媒体。
【請求項１１】
第１のユニークＩＤを記憶する制御装置に接続された記録媒体に記録されるディジタル信号を送信するディジタル信号記録装置において、
ディジタル信号及び第２のユニークＩＤを記憶する記憶手段と、
上記記憶手段に記憶された第２のユニークＩＤと上記制御装置に記憶された第１のユニークＩＤとが一致することを認証する認証手段と、
上記認証手段によって、第１のユニークＩＤと第２のユニークＩＤとが一致すると認証されたとき、上記記憶手段に記憶されたディジタル情報を上記制御装置に送信し、上記認証手段によって認証できなかったとき、上記記憶手段に記憶されたディジタル信号の上記制御装置への送信を中止する送信手段と
を有することを特徴とするディジタル信号記録装置。
【手続補正３】
【補正対象書類名】明細書
【補正対象項目名】０００１
【補正方法】変更
【補正の内容】
【０００１】
【発明の属する技術分野】
本発明は、ディジタル信号の不正コピーを防止するディジタル信号記録システム、ディジタル信号記録方法、プログラム記録媒体及びディジタル信号記録装置に関する。
【手続補正４】
【補正対象書類名】明細書
【補正対象項目名】０００５
【補正方法】変更
【補正の内容】
【０００５】
本発明は、このような実情に鑑みて提案されたものであり、著作権のあるディジタル信号を複数の記録媒体にコピーすることを防止することができるディジタル信号記録システム、ディジタル信号記録方法、プログラム記録媒体及びディジタル信号記録装置を提供することを目的とする。
【手続補正５】
【補正対象書類名】明細書
【補正対象項目名】０００６
【補正方法】変更
【補正の内容】
【０００６】
【課題を解決するための手段】
上述の課題を解決するために、本発明に係るディジタル信号記録システムは、ディジタル信号を記録する記録媒体と、第１のユニークＩＤを記憶する第１の記憶手段を有する第１のアダプタ装置と、ディジタル信号及び第２のユニークＩＤを記憶する第２の記憶手段と、上記第２の記憶手段に記憶された第２のユニークＩＤと上記第１の記憶手段に記憶された第１のユニークＩＤとが一致することを認証する第１の認証手段と、上記第１の認証手段によって第１のユニークＩＤと第２のユニークＩＤとが一致すると認証されたとき、上記第２の記憶手段に記憶されたディジタル信号を上記第１の装置に送信し、上記第１の認証手段が認証できなかったとき、第２の記憶手段に記憶されたディジタル信号の上記第１の装置への送信を中止する第１の送信手段とを有する第２の装置とを有することを特徴とする。
【手続補正６】
【補正対象書類名】明細書
【補正対象項目名】０００７
【補正方法】変更
【補正の内容】
【０００７】
また、本発明は、第１の装置に記憶されているディジタル信号を第２の装置に接続された記録媒体に記録するディジタル信号記録方法において、上記第１の装置のユニークＩＤと上記第２の装置のユニークＩＤとが一致することを認証し、ユニークＩＤの一致が認証できなかったとき、上記第１の装置に記憶されているディジタル信号の送信を中止し、ユニークＩＤの一致が認証できたとき、上記第１の装置に記憶されているディジタル信号を上記第２の装置に送信し、上記送信されたディジタル信号を上記第２の装置に接続された上記記録媒体に記録することを特徴とする。
また、本発明は、第１の装置に記憶されているディジタル信号を第２の装置に接続された記録媒体に記録する制御プログラムが記録されたプログラム記録媒体において、上記第１の装置のユニークＩＤと上記第２の装置のユニークＩＤとが一致することを認証し、ユニークＩＤの一致が認証できなかったとき、上記第１の装置に記憶されているディジタル信号の送信を中止し、ユニークＩＤの一致が認証できたとき、上記第１の装置に記憶されているディジタル信号を上記第２の装置に送信し、上記送信されたディジタル信号を上記第２の装置に接続された上記記録媒体に記録する制御プログラムが記録されたことを特徴とする。
【手続補正７】
【補正対象書類名】明細書
【補正対象項目名】０００８
【補正方法】変更
【補正の内容】
【０００８】
さらに、本発明は、第１のユニークＩＤを記憶する制御装置に接続された記録媒体に記録されるディジタル信号を送信するディジタル信号記録装置において、ディジタル信号及び第２のユニークＩＤを記憶する記憶手段と、上記記憶手段に記憶された第２のユニークＩＤと上記制御装置に記憶された第１のユニークＩＤとが一致することを認証する認証手段と、上記認証手段によって、第１のユニークＩＤと第２のユニークＩＤとが一致すると認証されたとき、上記記憶手段に記憶されたディジタル情報を上記制御装置に送信し、上記認証手段によって認証できなかったとき、上記記憶手段に記憶されたディジタル信号の上記制御装置への送信を中止する送信手段とを有することを特徴とする。
【手続補正８】
【補正対象書類名】明細書
【補正対象項目名】０００９
【補正方法】変更
【補正の内容】
【０００９】
【発明の実施の形態】
以下、本発明の実施の形態について、図面を参照しながら説明する。本発明は、例えば図１に示す構成の記録再生システム１に適用される。上記記録再生システム１は、オーディオデータの読み出しや書き込みを制御するホストコンピュータ１０と、ＰＣインターフェースアダプタ２０を介して上記ホストコンピュータ１０と接続されているカード型記録媒体３０とを備え、ホストコンピュータ１０に記録されているオーディオデータをカード型記録媒体３０に記録することができ、カード型記録媒体３０に記録されているオーディオデータを再生する。